(57)【要約】【課題】あらゆるメーカーの処理装置に簡易に取り付けられる廉価な堆積装置を提供する。【解決手段】処理装置１の排出口２に着脱自在に取り付けられる取付部４、処理装置から排出された印刷原版を案内する平面部４ｃ、前記取付部と反対側の自由端に曲面部４ａとを備えた案内板４と、この印刷原版Ｐの先端を案内しながら自重で落下させ、この印刷原版Ｐの先端が挿入される挿入部７を下端に有し、やや傾斜した状態の受板５と載置台８とからなるスタック部材と、からなり、処理装置から排出した印刷原版Ｐを立て揃えて積重する前記スタック部材の挿入部７内に自重で落下させ堆積させる構成である。【選択図】　　図１
0003097191.tif 000002
【実用新案登録請求の範囲】
【請求項１】
処理装置から搬出される印刷原版を自動的に立て積重するスタッカーにおいて、
処理装置の排出口に着脱自在に取り付けられる取付部、この処理装置から排出された印刷原版を案内する平面部、前記取付部と反対側の自由端に曲面部とを備えた案内板と、
この案内板から搬送された印刷原版を受け止め、この印刷原版の先端を案内しながら自重で落下させ、この印刷原版の先端が挿入される挿入部を下端に有し、やや傾斜した状態の受板と載置台とからなるスタック部材と、
を備え、前記処理装置の排出口から排出した印刷原版を立て揃えて積重する前記スタック部材の挿入部内に自重で落下させて受板上に印刷原版を堆積させることを特徴とする無動力版立装置。
【請求項２】
前記スタック部材の前記受板の傾斜角度が調節可能なように調節部材が配置されていることを特徴とする請求項１に記載の無動力版立装置。
【請求項３】
現像装置の外側壁へ前記案内板を取付ける取付位置が上下に調節可能な高さ調節機構を備えたことを特徴とする請求項１又は請求項２に記載の無動力版立装置。
【請求項４】
処理装置から搬出される印刷原版を自動的に立て積重するスタッカーにおいて、
処理装置の排出口に着脱自在に取り付けられ、排出された印刷原版を案内する平面部、取付位置を調節する調節機構及び前記排出口側と反対側の自由端に曲面部を備えた案内板と、
この案内板から搬送された印刷原版を受け止め、この印刷原版の先端を案内しながら自重で落下させ、印刷原版の先端が挿入される挿入部を下端に有し、やや傾斜した状態の受板と載置台とかなり、搬出される印刷原版を立て揃えて積重するスタック部材と、
を備え、処理装置の排出口から搬出される印刷原版を自重で前記スタック部材の挿入部内に自重で落下させこの印刷原版を堆積させることを特徴とする請求項１乃至請求項３のいずれか１つの無動力版立装置。
【考案の詳細な説明】
【０００１】
【考案の属する技術分野】
本考案は、現像・水洗、定着装置等の処理装置から搬出される印刷原版が、自重によって積重ね立て揃えることができる無動力版立装置に関する。
【０００２】
【従来の技術】
従来から処理装置から搬出された印刷用原版は案内用ガイドによって案内されながら堆積されている。この場合は電動駆動の自動供給装置が使用され、版面の摺傷が発生しないように取り扱われている。例えば、処理装置から排出された印刷原版の両側端縁をクリップで挟着しながらスタッカー（堆積装置）に搬送して立て揃えて積重ねられている。
【０００３】
【考案が解決しようとする課題】
従来のスタッカーは処理装置、特に、現像装置との組み合わせてスタッカー（堆積装置）が配置されているため型式の異なる現像装置ごとに独自のスタッカーであったので、汎用性がなかった。そのために現像装置とは別に専用のスタッカーを購入しなければならなく、全体システムとして高価なものであった。そのため従来から簡易な機構のスタッカーが望まれていた。
本考案の課題は、廉価であらゆるメーカーの現像装置に限らず処理装置に簡易に取り付けられる廉価な無動力版立装置を提供することである。
【０００４】
【課題を解決するための手段】
本考案は前記課題を達成するために以下の構成にする。
その構成は、処理装置から搬出される印刷原版を自動的に立て積重するスタッカーにおいて、処理装置の排出口に着脱自在に取り付けられる取付部、この処理装置から排出された印刷原版を案内する平面部、前記取付部と反対側の自由端に曲面部とを備えた案内板と、この案内板から搬送された印刷原版を受け止め、この印刷原版の先端を案内しながら自重で落下させ、この印刷原版の先端が挿入される挿入部を下端に有し、やや傾斜した状態の受板と載置台とからなるスタック部材とを備え、前記処理装置の排出口から排出した印刷原版を立て揃えて積重する前記スタック部材の挿入部内に自重で落下させて受板上に印刷原版を堆積させる無動力版立装置の構成である。
【０００５】
この考案の課題は、前記スタック部材の前記受板の傾斜角度が調節可能なように調節部材が配置されている構成、または処理装置の外側壁へ前記案内板を取付ける取付位置が上下に調節可能な高さ調節機構を備えた構成の無動力版立装置によって達成できる。
【０００６】
更に、本考案の課題は、処理装置から搬出される印刷原版を自動的に立て積重するスタッカーにおいて、処理装置の排出口に着脱自在に取り付けられ、排出された印刷原版を案内する平面部、取付位置を調節する調節機構及び前記排出口側と反対側の自由端に曲面部を備えた案内板と、この案内板から搬送された印刷原版を受け止め、この印刷原版の先端を案内しながら自重で落下させ、印刷原版の先端が挿入される挿入部を下端に有し、やや傾斜した状態の受板と載置台とかなり、搬出される印刷原版を立て揃えて積重するスタック部材とを備え、処理装置の排出口から搬出される印刷原版を自重で前記スタック部材の挿入部内に自重で落下させこの印刷原版を堆積させる無動力版立装置の構成によって達成できる。
【０００７】
本考案の無動力版立装置は、簡易な機構の案内板の先端がスタック部材の傾斜面に向かって搬送される原版が案内板の曲面に沿って湾曲しながら自重で落下し、スタック部材の下端にある挿入部に嵌入して原版の復元力でスタック部材の傾斜面上に積載されることになるから、原版を搬送するためのクリップや動力を必要とせず、確実に整頓されて堆積することができる。
【０００８】
また、本考案の無動力版立装置は、所定の曲面を備えた案内板が印刷原版の現像、水洗、定着装置等の処理装置の排出口に簡易に取り付けられるようになっているからどのメーカーの処理装置にも簡単に取り付けることができる。特に、案内板の取付部に両面テープを配置して、取り付ける処理装置の排出口に貼り付けることができる。しかも、この案内板の取り付け位置の高さも処理装置の排出口の高さに合わせて、また、スタック部材の高さに合せて調整が出来るようになっているから、処理装置のメーカーに捉われず案内板を設置でき、版材を処理することができる。
【０００９】
【考案の実施の形態】
本考案の無動力版立装置について、図面に示す実施の形態に基づいて詳細に説明する。
図１は本考案の無動力版立装置の取り付け状態を示す正面図である。図２は図１の平面図である。図３は本考案の無動力版立装置の実施形態の案内板部分の拡大説明図である。図４は本考案の無動力版立装置による印刷原版の排出時の状態を説明する正面図である。図５は本考案の無動力版立装置における印刷原版がスタック部材に当接する状態を示す正面図である。図６は印刷原版がスタック部材に落下した状態を示す正面図である。図７は印刷原版が堆積した状態を示す正面図である。
【００１０】
現像・水洗・定着装置等の処理装置１の印刷原版Ｐの排出口２の近傍に取付板３を接着のり、両面粘着テープなどで固着する。案内板４の取付部４ａを取付位置が調節できるように位置決めして取付板３に固着する。他方、スタック部材５を案内板４の曲面部４ｂに対向する位置にスタック部材５を配置する。処理装置１から排出する印刷原版Ｐの量によって傾斜面５ａの角度を調節部材６によって調節する。このスタック部材５の下端には挿入部７が柔らかい材質で形成されている。例えば、合成樹脂であるウレタン樹脂などで形成してある。このスタック部材５の載置台８には固定脚９を配置してあるが、この固定脚９がストッパ付キャスターであってもよい。堆積した印刷原版Ｐを搬送するときに便利である。
【００１１】
本考案の無動力版立装置について説明する。
処理装置１の排出口２から搬送される印刷原版Ｐは案内板４の平面部４ｃ面上を裏面を滑らせながら排出され、印刷原版Ｐの先端が曲面部４ｂに達すると案内板４の曲面に沿って印刷原版Ｐの先端は自重により下降する（図５参照）。処理装置１の搬出ローラにより繰出された印刷原版Ｐは湾曲しながらスタック部材５の傾斜面５ａに当接し、この傾斜面５ｃに沿って下降する（図６参照）。
【００１２】
処理装置１の搬出ローラから解放された印刷原版Ｐは自重により挿入部７内に落下する。この落下時と同時に印刷原版Ｐの復元力によりスタック部材５の傾斜面５ａに印刷原版Ｐは載置される。同様にして次々に搬出された印刷原版Ｐは積重して堆積される。挿入部７の隙間にもよるが、数十枚は堆積させることができる。印刷原版Ｐは一般に金属板によって形成されているので確実に湾曲しながら、金属板の復元力によりスタック部材５の傾斜面５ａに載積される。このように搬送されるから印刷原版Ｐの画像面を傷付けることなく、堆積することができる。
【００１３】
本考案の無動力版立装置は、一枚の案内板４を処理装置１に取付ける機構が簡易であるばかりでなく、どのような処理装置にも取り付けることができる。また、スタック部材５の移動も簡単であるり、傾斜面５ｃの傾斜角度が調整できるので取扱いが便利である。
【００１４】
【考案の効果】
本考案の無動力版立装置は、現像装置等の印刷原版の処理装置に簡易に案内板を取り付けることができる。また、案内板の曲面が印刷原版の湾曲度合いに適合するように形成してあるから、スタック部材に確実に堆積させることができる。特に、動力を必要としないから取り付けも簡単であり、廉価に製造することができる。
【図面の簡単な説明】
【図１】本考案の無動力版立装置の取り付け状態を示す正面図である。
【図２】図１の平面図である。
【図３】本考案の無動力版立装置の実施形態の案内板部分の拡大説明図である。
【図４】本考案の無動力版立装置による印刷原版の排出時の状態を説明する正面図である。
【図５】本考案の無動力版立装置における印刷原版がスタック部材に当接する状態を示す正面図である。
【図６】印刷原版がスタック部材に落下した状態を示す正面図である。
【図７】印刷原版が堆積した状態を示す正面図である。
【符号の説明】
１　　　処理装置
２　　　排出口
３　　　取付板
４　　　案内板
５　　　スタック部材
６　　　調節部材
７　　　挿入部
８　　　載置台
９　　　固定脚
【図１】
0003097191.tif 000003
【図２】
0003097191.tif 000004
【図３】
0003097191.tif 000005
【図４】
0003097191.tif 000006
【図５】
0003097191.tif 000007
【図６】
0003097191.tif 000008
【図７】
0003097191.tif 000009